【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
パワースイッチング用のシステムであって、
第２導電型バルクベース領域によって分離される２つの第１導電型エミッタ／コレクタ領域、及び、互いに離れた場所で前記バルクベース領域に接続する２つの別個の第２導電型ベースコンタクト領域を有する双方向バイポーラトランジスタと、
それぞれ第１及び第２の前記ベースコンタクト領域に別々に接続される第１及び第２トランジスタモード駆動回路であって、各駆動回路が、電圧源として、対応する前記ベースコンタクト領域と、前記ベースコンタクト領域に最も近い前記エミッタ／コレクタ領域との間に、調整可能電圧を選択的に印加するように構成された、第１及び第２トランジスタモード駆動回路と、
それぞれ第１及び第２の前記ベースコンタクト領域に別々に接続される第１及び第２ダイオードモード駆動回路であって、各駆動回路が、対応する前記ベースコンタクト領域を、前記ベースコンタクト領域に最も近い前記エミッタ／コレクタ領域に選択的に接続するように構成される、第１及び第２ダイオードモード駆動回路と、
を備えるシステム。
【請求項２】
パワースイッチング用のシステムであって、
第２導電型バルクベース領域によって分離される２つの第１導電型エミッタ／コレクタ領域、及び、互いに離れた場所で前記バルクベース領域に接続する２つの別個の第２導電型ベースコンタクト領域を有する双方向バイポーラトランジスタと、
それぞれ第１及び第２の前記ベースコンタクト領域に別々に接続される一対のトランジスタモード駆動回路であって、各トランジスタモード駆動回路が電圧モード駆動回路である、一対のトランジスタモード駆動回路と、
それぞれ第１及び第２の前記ベースコンタクト領域に別々に接続される一対のダイオードモード駆動回路であって、各ダイオードモード駆動回路が、対応する前記ベースコンタクト領域を、前記ベースコンタクト領域に最も近い前記エミッタ／コレクタ領域に選択的に接続するように構成される、一対のダイオードモード駆動回路と、
を備えるシステム。
【請求項３】
パワースイッチング用のシステムであって、
第２導電型バルクベース領域によって分離される２つの第１導電型エミッタ／コレクタ領域、及び、互いに離れた場所で前記バルクベース領域に接続する２つの別個の第２導電型ベースコンタクト領域を有する双方向バイポーラトランジスタと、
それぞれ第１及び第２の前記ベースコンタクト領域に別々に接続される一対のトランジスタモード駆動回路であって、各駆動回路が、電圧源として、対応する前記ベースコンタクト領域と、前記ベースコンタクト領域に最も近い前記エミッタ／コレクタ領域との間に、選択可能値で調整可能電圧を選択的に印加するように構成される、一対のトランジスタモード駆動回路と、
を備えるシステム。
【請求項４】
パワースイッチングのための方法であって、
第２導電型バルクベース領域によって分離される別個の場所の２つの第１導電型エミッタ／コレクタ領域、及び、互いに離れた場所で前記バルクベース領域に接続する２つの別個の第２導電型ベースコンタクト領域を有する双方向バイポーラトランジスタを、
トランジスタオンモードでは、最小電圧降下が所望されるとき、一対の第１駆動回路のうちの一方を使用して、外部印加される電圧極性によって規定される、コレクタとして機能するように配置される前記エミッタ／コレクタ領域のいずれかに最も近い前記ベースコンタクト領域の一方に、選択された調整可能電圧を供給することと、
ダイオードオンモードでは、前記デバイス間のダイオード電圧降下が許容可能であるとき、一対の第２駆動回路のうちの一方を使用して、前記ベースコンタクト領域の一方を、それぞれ、前記エミッタ／コレクタ領域のうちの最も近いエミッタ／コレクタ領域にクランプすることと、
プリターンオフモードでは、前記一対の第２駆動回路の両方を使用して、前記ベースコンタクト領域のそれぞれを、前記エミッタ／コレクタ領域のうちのそれぞれ最も近いエミッタ／コレクタ領域にクランプすることと、
によって駆動することを含む方法。
【請求項５】
パワースイッチングのための方法であって、
第２導電型バルクベース領域によって分離される別個の場所の２つの第１導電型エミッタ／コレクタ領域、及び、互いに離れた場所で前記バルクベース領域に接続する２つの別個の第２導電型ベースコンタクト領域を有する双方向バイポーラトランジスタを、
トランジスタオンモードでは、最小電圧降下が所望されるとき、一対の第１駆動回路のうちの一方を使用して、外部印加される電圧極性によって規定される、コレクタとして機能するように配置される前記エミッタ／コレクタ領域のいずれかに最も近い前記ベースコンタクト領域の一方に、選択された調整可能電圧を供給することと
ダイオードオンモードでは、前記デバイス間のダイオード電圧降下が許容可能であるとき、一対の第２駆動回路のうちの一方を使用して、前記ベースコンタクト領域の一方を、前記エミッタ／コレクタ領域のうちのそれぞれ最も近いエミッタ／コレクタ領域にクランプすることと、
によって駆動することを含む方法。
【請求項６】
パワースイッチングのための方法であって、
第２導電型バルクベース領域によって分離される別個の場所の２つの第１導電型エミッタ／コレクタ領域、及び、互いに離れた場所で前記バルクベース領域に接続する２つの別個の第２導電型ベースコンタクト領域を有する双方向バイポーラトランジスタを、
トランジスタオンモードでは、最小電圧降下が所望されるとき、一対の第１駆動回路のうちの一方を使用して、外部印加される電圧極性によって規定される、コレクタとして機能するように配置される前記エミッタ／コレクタ領域のいずれかに最も近い前記ベースコンタクト領域の一方に、選択された調整可能電圧を供給すること
によって駆動することを含む方法。
【請求項７】
前記第１導電型はｎ型である請求項１、請求項２、又は請求項３に記載のシステム。
【請求項８】
２つの更なる駆動回路であって、それぞれ前記トランジスタモード駆動回路に並列に接続され、それぞれが、ノーマリーオフスイッチと直列にショットキーダイオードを備える２つの更なる駆動回路を更に備える請求項１、請求項２、又は請求項３に記載のシステム。
【請求項９】
前記第１導電型はｎ型である請求項４、請求項５、又は請求項６に記載の方法。
【請求項１０】
２つの更なる駆動回路であって、それぞれ前記トランジスタモード駆動回路に並列に接続され、それぞれが、ノーマリーオフスイッチと直列にショットキーダイオードを備える２つの更なる駆動回路を更に備える請求項４、請求項５、又は請求項６に記載の方法。
【請求項１１】
可変電圧低電圧出力を提供する方法であって、
ａ）オシレータに給電するために、調整可能電圧を提供する行為と、
ｂ）前記オシレータを使用して、ＡＣ波形を変圧器の一次巻線に印加する行為と、
ｃ）前記変圧器の１つの二次巻線で、相補的制御信号を生成する行為と、
ｄ）前記相補的制御信号を使用して、同じ変圧器の別の二次巻線に接続される同期整流器を動作させる行為であって、それにより、低電圧出力を提供する行為と、
を含む方法。
【請求項１２】
前記相補的制御信号は、接地された中心端子を有するタップ付き巻線によって生成される請求項１１に記載の方法。
【請求項１３】
可変電圧低電圧電力回路であって、
調整可能電圧を提供するように接続される調整可能電圧供給回路と、
オシレータ回路であって、供給電圧として前記調整可能電圧を受けるように接続され、更には、変圧器の一次巻線をＡＣ波形で駆動するように接続されるオシレータ回路と、
相補的制御信号を出力するように接続される、前記変圧器の第１の二次巻線と、
前記第１の二次巻線より少ない卷数を有する、前記変圧器の第２の二次巻線と、
前記相補的制御信号によってゲート制御され、ブリッジ構成で接続される少なくとも４つのトランジスタを含む同期整流器であって、前記二次巻線の出力を整流するように接続される、同期整流器と、
を備え、
前記第２の二次巻線の出力は、前記同期整流器によって整流された後、ダイオード電圧降下より小さい実質的にＤＣの出力を提供する可変電圧低電圧電力回路。
【請求項１４】
第２導電型バルクベース領域によって分離される別個の場所の第１及び第２の第１導電型エミッタ／コレクタ領域を有し、更には、第１及び第２のエミッタ／コレクタ領域にそれぞれ近接するが、互いに近接せずに互いに離れた場所で前記バルクベース領域に接続する２つの別個の第２導電型ベースコンタクト領域を有する双方向バイポーラトランジスタを動作させる方法であって、
ａ）低いオン状態抵抗が所望されるとき、ベース駆動電圧を、前記デバイスのコレクタ側にある前記ベースコンタクト領域に印加する行為と、
ｂ）ベース電流をモニタしながら、前記ベース駆動電圧を変更し、それにより、ベース電流がベース駆動電圧と共に増加し始めるターゲットベース駆動電圧を見つけ出し、前記ターゲットベース駆動電圧で前記トランジスタを動作させる行為と、
を含む方法。
【請求項１５】
前記第１及び第２の第１導電型エミッタ／コレクタ領域は、第２導電型半導体ダイの対向する表面上に位置する請求項１４に記載の方法。
【請求項１６】
前記ベース電流は、ゼロのベース駆動電圧で最初に測定される請求項１４に記載の方法。
【請求項１７】
前記変更するステップは、前記デバイスがオンである間に、複数回繰り返される請求項１４に記載の方法。
【請求項１８】
パワースイッチング用のシステムであって、
第２導電型バルクベース領域によって分離される２つの第１導電型エミッタ／コレクタ領域、及び、互いに離れた場所で前記バルクベース領域に接続する２つの別個の第２導電型ベースコンタクト領域を有する双方向バイポーラトランジスタと、
それぞれ第１及び第２の前記ベースコンタクト領域に別々に接続される一対のトランジスタモード駆動回路と、
を備え、低い電圧降下が所望されるトランジスタオン状態において、外部電圧極性によって決定される前記駆動回路のうちの一方が、
ベースコンタクト領域のうちの選択されたベースコンタクト領域に、調整可能電圧を印加し、
前記調整可能電圧を振り、それにより、前記選択されたベースコンタクト領域の電流が印加電圧と共に増加し始める動作ポイント電圧を見つけ出し、その後、前記調整可能電圧を前記動作ポイント電圧で維持する
ように構成されるシステム。